(57)【特許請求の範囲】
【請求項１】
内部機器を収納するケースと、
前記内部機器の操作が行えるようケース前面側に組み合わされるカバーとを備えて構成される分電盤であって、
前記カバー前面側の一部に周囲部分と段差を設けて形成した段差部と、
該段差部に分電盤の取付状態において下方となる方向に向けて開口したスリットを設けて構成し、
前記スリットに挿入し得る程度の大きさに設けた平板に対して鉛直方向にストライカを突出形成したストライカ部材を、前記スリットの下方から差込取付することにより、
該ストライカは前記前面方向に突出させた状態で取り付けられるとともに、
前記段差部の背面側のストライカ部材の突出量を前記平板の板厚程度とし、
前記ストライカ部材を取り外した状態においては、前記カバーの前面側には、前記スリットが臨まぬよう、
前記カバーにストライカ部材を着脱可能に備えることを特徴とする分電盤。
【請求項２】
前記段差部は、カバー周縁部下方寄りに前記カバーを凹部形成することにより設けられ、
前記スリットは、前記段差部に複数個所設けて構成したことを特徴とする請求項１記載の分電盤。
【請求項３】
前記ストライカ部材には、更に前記前面方向に突出した突出部を設け、
該突出部が、前記段差部におけるスリットが形成された面に当接することを特徴とする請求項１又は請求項２記載の分電盤。
【請求項４】
前記カバー背面側には、前記ストライカ部材がカバー背面側において突出する部分を隠蔽する隠蔽部を設けたことを特徴とする請求項１乃至３記載の内何れか１項に記載の分電盤。
【発明の詳細な説明】
【技術分野】
【０００１】
本発明は、住宅や店舗等における分電盤に関し、特に、分電盤のキャビネットを構成するカバーの構造に関する。
【背景技術】
【０００２】
分電盤は、キャビネットの内部に、主開閉器、該主開閉器の二次側に接続される母線、該母線と各々接続される分岐開閉器などの内部機器を組み込んだもので、住宅等における電路の引込口装置として用いられている。適用される電路は、通常、交流５０Ｈｚ又は６０Ｈｚの単相２線式電路（１００Ｖ）、もしくは単相３線式電路（１００／２００Ｖ）が印加される電路である。
【０００３】
前記キャビネットは、分電盤の外郭を構成するもので、一般的に、前記内部機器を取付ける中底を取付け固定し、分電盤の上下左右の側面及び背面を覆う壁を形成するケースと、内部機器の操作面側に臨む前面側を覆うよう前記ケース前面側に設けられるカバーとを備えて構成される（例えば、特許文献２  図４）。
【０００４】
また、分電盤の中には、前記カバーの前面側に、該カバーの前面を覆うように、前記ケースやカバー等に蝶番により支持され、開閉できるよう設けられたドアが備えられたものがある（例えば、特許文献１  図３）。このように分電盤には、大別してドア付きのものと、ドアなしのものがある。
【０００５】
ドア付きの分電盤は、前記蝶番の部分を回動中心としてカバーに支持されている。また、ドアを閉じた状態で該ドアの回動を防止させるために、ドア並びにカバーには、プッシュラッチとストライカが、ドアが閉じた状態で係合するように互いに対向して設けられている。ストライカはドアが回動するときの半径方向となる端部付近、即ちドアの蝶番部分から離れた周縁部付近に設けられる。
【０００６】
例えば、プッシュラッチとストライカが係合した状態でドアの前記周縁部付近を手などで押圧すると、一旦プッシュラッチの機構部が元の位置からプッシュラッチ内部に押し込まれるためドアがカバーの方向に移動する。前記機構部が所定位置まで押し込まれるとラッチとストライカとの係合が解かれる。この状態でドアの押圧を止め手を離すと、前記機構部が元の位置に戻ろうとする反発力でドアがカバーから遠ざかる方向に押し戻され、ラッチとストライカの係合が解かれた状態でドアがカバーから少し浮き上がる。そしてドアに手をかけて前面側に引き上げることにより蝶番を回転中心としてドアを開けることが可能になる。
【０００７】
さて、分電盤の設置場所は、クローゼットや造作家具内など予め設けられた収納スペースに設置する場合と、台所、玄関、トイレなど収納スペースを特に設けない場所に設置する場合とがある。特に、マンション等集合住宅においては、分電盤の施工現場にて個々の住居毎に設置場所が定められる場合が多い。このため、施工業者等が予め発注していた分電盤に対して、施工現場にてドア付きタイプの分電盤からドアなしタイプの分電盤に変更する場合や、ドアなしタイプの分電盤からドア付タイプの分電盤に変更する場合が生ずることがあり、施工現場にて変更が必要になった分電盤に対して、不足する部品の調達を改めて行っていた。
【先行技術文献】
【特許文献】
【０００８】
【特許文献１】特開平９−２７１１１２号公報
【特許文献２】特開２００６−８１３０７号公報
【発明の概要】
【発明が解決しようとする課題】
【０００９】
分電盤のドアは、前記ケースやカバー等に蝶番により予め一体に固着されている。また、カバーにはプッシュラッチが備えられ、ドアにはストライカが備え付けられており、ドアなしタイプのものからドア付きタイプのものに変更する場合は、分電盤に既に取付けられているカバーを取り外したうえ、ドア付のカバーにカバーごと交換する必要があった。また、ドア付きタイプのものからドアなしタイプのものに変更する場合は、分電盤に既に取付けられているドア付きのカバーを取り外したうえ、ドアの付いていないカバーにカバーごと交換する必要があった。
【００１０】
このように、実際に施工する分電盤のタイプ（ドア付き／ドアなし）は、施工現場において最終的に定まることがある。このため、施工業者は、施工現場にて実際の取付けタイプに応じた分電盤のカバーやドア付きのカバーを改めて調達する必要があった。調達する部品は、交換部品としてメーカー等から別途提供されるが、部品の調達のためにメーカーに再注文を行う手間がかかるとともに、組み換えに係る手間が発生し、施工において時間的なロスと輸送にかかるコストを生じていた。
【００１１】
また、一旦取り外したカバーや、ドア付きのカバーは、内部機器の種類の違いや回路数の違いにより、再利用されることはなく、廃棄の対象となっていた。これに伴い、廃棄処理される部品類の処分に係る環境負荷が増加する要因となっていた。
【００１２】
そこで、本発明は、上記課題に鑑みてなされたもので、分電盤のドアとカバーに取り付けられて、ドアの回動を防止するために取り付けられるプッシュラッチとストライカの取付構造を、カバーからストライカを容易に取り外し／取り付けしうる構造とすることにより、ドアなしタイプのカバーならびにドア付きタイプのカバーにおける共用化が図れ、分電盤の施工現場における組み換え手間が軽減できるとともに、ストライカを取り外した後の見栄えがよく、なおかつ廃棄処理される部品類を低減し得る分電盤を提供することを目的とする。
【課題を解決するための手段】
【００１３】
本発明に係る分電盤の構造は、上述の課題を解決すべく構成されたもので、内部機器を収納するケースと、前記内部機器の操作が行えるようケース前面側に組み合わされるカバーとを備えて構成される分電盤であって、前記カバー前面側の一部に周囲部分と段差を設けて形成した段差部と、該段差部に分電盤の取付状態において下方となる方向に向けて開口したスリットを設けて構成し、前記スリットに挿入し得る程度の大きさに設けた平板に対して鉛直方向にストライカを突出形成したストライカ部材を、前記スリットの下方から差込取付することにより、該ストライカは前記前面方向に突出させた状態で取り付けられるとともに、前記段差部の背面側のストライカ部材の突出量を前記平板の板厚程度とし、前記ストライカ部材を取り外した状態においては、前記カバーの前面側には、前記スリットが臨まぬよう、前記カバーにストライカ部材を着脱可能に備えることを特徴として構成するとよい。
【００１４】
かかる構成によれば、前記カバー前面側の一部に周囲部分と段差を設けて形成した段差部に分電盤の取付状態において下方となる方向に向けて開口したスリットを設けて構成し、ストライカ部材を前記スリットの下方から差込取付できるとともに、ストライカを取り外した状態においては、前記スリットが前記カバーの前面側からは臨まぬよう配置される。このため、カバーにストライカを取り付け／取り外し自在に設けることができるとともに、カバーからストライカを取り外したときにも、ストライカ取付部となるスリットは前面側からは見えないようカバーを構成でき、ドア付きタイプのカバーからドアなしタイプのカバーに変更する場合、また、ドアなしタイプのカバーからドア付きタイプのカバーに変更する場合に容易に変更作業を行えカバーを共用化することができる。
【００１５】
ドア付きタイプのカバーからドアなしタイプのカバーに変更する場合にはドア部分の廃棄が必要となり、ドアなしタイプのカバーからドア付きタイプのカバーに変更する場合には、ドア部分の再調達が必要となるが、カバーごと交換する場合と比較して、廃棄する部品の量、並びに再調達にかかる部品の重量が略半減することにより、廃棄される部品類そのものの低減が図れ、廃棄処理に係る環境負荷を低減させることができる。
【００１６】
また、本発明に係る分電盤の構造は、前記段差部を、カバー周縁部下方寄りに前記カバーを凹部形成することにより設けらて、前記スリットを、前記段差部に複数個所設けて構成してもよい。
【００１７】
かかる構成によれば、カバー前面側から凹んだ部分にスリットを形成することができるから、カバー側に取り付けられるストライカ部材のストライカがカバー前面側に突出することを抑制でき、また、ストライカを取り外したときにスリットを目立ちにくくすることができる。また、スリットを複数個所に設けて構成するから、分電盤の内部機器の数が増加し、キャビネットが大型化するときにおいても、ドアの保持を確実に行うことができるとともに、複数のスリットにより、分電盤におけるキャビネット内外の通気口としての機能を果たすことができる。
【００１８】
また、本発明に係る分電盤の構造は、前記ストライカ部材に、更に前記前面方向に突出した突出部を設け、該突出部が、前記段差部におけるスリットが形成された面に当接することを特徴として構成してもよい。
【００１９】
かかる構成によれば、例えば、ドアが閉じられた状態でプッシュラッチとストライカが係合したまま、ドアを開けようとしてドアを手前側に引っ張った場合には、強い力がストライカ部分に印加され、ストライカ部材が前面側に引っ張られるが、前記ストライカ部材の前面方向に突出するように設けられた突出部が前記段差部におけるスリットが形成された面に当接する構成のため、前記突出部が前記段差部に当接して回り止めの役目を果たし、ラッチ状態の保持と、ストライカ部材の変形等破損防止を行うことができる。
【００２０】
また、本発明に係る分電盤の構造は、前記カバー背面側に、前記ストライカ部材がカバー背面側において突出する部分を隠蔽する隠蔽部を設けたことを特徴として構成してもよい。
【００２１】
かかる構成によれば、前述したことと同様に、ストライカ部材が前面側に引っ張られた場合、カバー背面側において突出する部分が前記隠蔽部に当接して回り止めの役目を果たし、前記突出部と相まって、より強固にストライカ部材の変形等破損防止を行うことができる。また、前記カバー背面側において、前記ストライカ部材が配設される場所近傍には分電盤の使用にあたり配線される電線が位置する。カバー背面側の突出物等によって、電線の被覆が傷ついたり、逆に電線によって前記突出物が破損することが想定されるが、前記隠蔽部を設けることにより、これらの破損等を生じないようにすることができる。
【発明の効果】
【００２２】
以上の如く、本発明によれば、分電盤におけるドアなしタイプのカバーならびにドア付きタイプのカバーにおける共用化が図れ、分電盤の施工現場における組み換え手間が軽減できるとともに、なおかつ廃棄処理される部品類を低減し得る分電盤を提供することができる。
【図面の簡単な説明】
【００２３】
【図１】第１の実施形態を示す分電盤の前面側から見た斜視図を示す。
【図２】同実施形態に係るドアを閉めた状態の前面側からの斜視図を示す。
【図３】同実施形態に係るケース前面側からの斜視図を示す。
【図４】同実施形態に係るケース内側背面側からの斜視図を示す。
【図５】同実施形態に係るケース内側背面側の要部拡大図を示す。
【図６】同実施形態に係るケース内側背面側の要部拡大図を示す。
【図７】同実施形態に係るケース前面側の要部拡大図を示す。
【図８】同実施形態に係るケース内側背面側からの斜視図を示す。
【図９】同実施形態に係るドアを取り外した状態のケース前面側から見た断面図を示す。
【図１０】同実施形態に係るドアとケースの対向状態を表す図を示す。
【図１１】第２の実施形態を示す分電盤のケース前面側からの斜視図を示す。
【図１２】同実施形態に係るケース内側背面側からの斜視図を示す。
【図１３】同実施形態に係るケース内側背面側の斜視図を示す。
【図１４】同実施形態に係るケース前面側の斜視図を示す。
【図１５】従来の分電盤を表わした図を示す。
【図１６】従来の分電盤を表わした図を示す。
【発明を実施するための形態】
【００２４】
次に本発明の実施形態を図１乃至図１４を用いて詳細に説明する。
【００２５】
（第１の実施形態）
第１の実施形態に係る分電盤１００は、単相３線式の商用電路に用いられるものである。該分電盤は、キャビネットの内部に、電流制限器１０１、主開閉器１０２、該主開閉器１０２の二次側において接続部材を介して接続される母線、該母線と各々接続される分岐開閉器１０３等の内部機器を収納するものであり、これら内部機器は中底に取付けられて、キャビネットに固定取付けされる。
【００２６】
前記キャビネットは、分電盤１００の外郭を構成する。前記キャビネットは、前記内部機器を取付ける中底が取付け固定され分電盤の上下左右の側面及び背面を覆う壁を形成するケース１１０と、内部機器の操作面側に臨む前面側を覆うよう前記ケース１１０前面側に設けられるカバー１２０とを備えて構成される。また、ドア１３０を備えた分電盤にあっては、前記カバー１２０の前面側に、ドア１３０が閉まった状態で前記カバー１２０の前面を覆うように、ヒンジ構造を有して開閉できるよう設けられたドア１３０が備えられている。図１にはドア付きタイプの分電盤として、前記ドア１３０を開けた状態の分電盤１００を示し、図２には前記ドア１３０を閉めた状態の分電盤１００を示している。
【００２７】
前記ドア１３０は、カバー１２０の周縁部に分電盤１００に臨んで左右方向に離間して設けられたヒンジ構造部１３００を介して開閉自在に取り付けられている。より詳しくは、前記ドア１３０と予め一体に取り付けられたヒンジ構造部の一端が、カバー１２０側に設けられたヒンジ取付部１２１に、該カバーの背面側からねじ締めにより取り付けられる構成となっており、該ヒンジ構造部１３００を回動中心としてドアを開閉操作できるようになっている。
【００２８】
図３に、ドア１３０を取付けた状態のカバー１２０を示している。ドア１３０を回動させるときの半径方向となる端部付近、即ちドアのヒンジ構造部１３００から離れた周縁部付近には、プッシュラッチ１３３がドアの内側面に埋め込み固着されている。プッシュラッチ１３３は、ラッチする方向をドアの回動軌跡がなす円弧における接線上であってドア側に向かう方向に設けて、ドアに固着されている。
【００２９】
また、カバー１２０には、該カバー前面側の一部に周囲部分と段差を設けて凹ませて形成した段差部１２４が形成されている。図４はカバーを背面側から臨んだ斜視図を示し、図５は前記段差部１２４付近の拡大図を示している。段差部１２４には、分電盤１００の取付状態において下方となる方向に向けて開口したスリット１２１４を設けている。本実施形態では、スリット１２１４を左右方向に離間させて複数設けて構成している。
【００３０】
図１０に示したように、前記段差部１２４には、ドア１３０が閉じた状態で前記プッシュラッチ１３３に対向して配置され、互いに係合するストライカを形成したストライカ部材１２３が設けられる。図６、図７に、それぞれカバーの背面側から臨んだ拡大図、並びにカバーの前面側から臨んだ拡大図を示しており、前記ストライカ部材１２３は、平板状に形成した基部１２３１から、該平板に対して鉛直方向に突出形成され、先端部にラッチ部となるキノコ形状の突起部を備えたストライカ１２３２を備えている。
【００３１】
ドア１３０を閉めた時に、該ストライカ１２３２が前記プッシュラッチ１３３に係合されることにより、ドア１３０がカバー１２０に対して閉じた状態で保持される。また、該ストライカ部材１２３は、前記段差部１２４の前面側において、左右の略中央部に設けられる。カバー１２０の左右に離間させて設けている前記ヒンジ構造部と相まって逆三角形状にドアを３点支持により安定して保持する。
【００３２】
次に、ストライカ部材１２３をカバー１２０に対して取り外し／取り付けするときの説明を行う。図４、図５がストライカ部材１２３を取付けた状態、図６乃至図９がストライカ部材１２３を取り外した状態である。まず、ストライカ部材１２３を取り外す場合について説明を行う。図４、図５において、ストライカ部材１２３をカバー１２０に固定しているねじをカバーの背面側から取り外す。そして、図６、図７に示したように、ストライカ部材１２３をカバー１２０の下方にスリット１２１４から抜き取ることにより、取り外しが完了する。
【００３３】
次に、ストライカ部材１２３をカバー１２０に取り付ける場合について説明を行う。取付とは逆の手順で、図６、図７に示したように、ストライカ部材１２３をカバー１２０の下方からスリット１２１４に差し込み、カバーに設けた穴部１２１５と、ストライカ部材１２３に設けたねじ貫通孔１２３３の位置を合わせた状態で、カバー１２０背面側から前記穴部１２１５にねじを締め付けることにより、取り付けが完了する。
【００３４】
このように、ストライカ部材１２３の取り外し／取り付けは、ねじ１本で簡便に行うことができ、分電盤の施工現場において、ドア付きタイプの分電盤からドアなしタイプの分電盤に変更する場合には部品の調達を行うことなくドア１３０並びにストライカ部材１２３を容易に取り外すことができる。また、ドアなしタイプの分電盤からドア付タイプの分電盤に変更する場合には、ドア１３０部分並びにストライカ部材１２３の調達が必要となるが、部品調達後は施工現場にて容易にドア１３０並びにストライカ部材１２３を取付けることができる。
【００３５】
また、カバー背面側には、リブにより形成されたストライカ部材支持部１２１６が設けられており、ストライカ部材１２３をスリット１２１４から差し込む場合のガイドやカバー側への位置決めとして機能するとともに、ストライカ部材をカバーにねじ締め固定するときの固定台座として機能する。穴部１２１５を形成しているボスと相まって、ドア１３０が閉じた状態においてドアが引っ張られた場合や、ドア１３０を開ける際にドア１３０に設けられたプッシュラッチ付近を一旦カバー１２０側に押圧する場合、またドア１３０を閉じる場合にカバー１２０側に押し付ける場合などに、ストライカ部材１２３に加わる力をこれらストライカ部材支持部１２１６、前記穴部のボスが受け止めることにより、ストライカ部材１２３のぐらつきを抑制し、安定した開閉動作を行うことができる。
【００３６】
また、図３、図９に示したように、ドア１３０とストライカ部材１２３が取り付けられた状態のカバー１２０と、ドア１３０とストライカ部材１２３が取り外された状態のカバー１２０において、特に段差部１２４においては、前面側から臨んだ場合、ストライカ部材１２３の有無以外には視覚的な変化がない。カバー１２０の背面側には、ストライカ部材１２３を取付けるための穴部１２１５、ストライカ部材支持部１２１６が設けているが、前面側にはスリット１２１４を除き、ストライカ部材１２３を設けるための特別な形成物を設けていないため、ドア付きのカバー／ドアなしのカバーにおいてカバー１２０を共用化させる場合に、段差部１２４においてはストライカ部材１２３を取り外すと、ストライカ部材１２３の取付部が設けられていることを使用者等には意識させないよう見栄えよくカバーの共用化を行うことができる。
【００３７】
スリット１２１４についても、段差部１２４の段差部分に下方に開口させているため、図１に示したように分電盤の前面側から臨んだ場合には視覚的に見えず、普段は意識することがない。
【００３８】
また、複数設けたスリット１２１４に対して、前記ストライカ部材支持部１２１６、穴部１２１５をそれぞれ設けて構成してもよい。この場合には、ストライカ部材１２３を分電盤に対して複数個用いることができ、分電盤の内部機器の数が増加し、キャビネットが大型化するときにおいても、ドアの保持を確実に行うことができる。
【００３９】
本実施形態においては、プッシュラッチ１３３をドア１３０側に設けて、ストライカ部材１２３をカバー１２０に設けて構成し、なおかつストライカ部材１２３の基部１２３１を平板状に形成しているため、ストライカ部材１２３がカバー１２０の背面側に突出する量を極力少なくすることができる。一般的に分電盤においては、プッシュラッチをカバー側に取り付けて、ストライカをドア側に取り付けて構成している。プッシュラッチ部品は奥行き方向の長さが長く、カバー背面側に突出する量も大きくなる。
【００４０】
カバー背面側には、ケース内に配線される電線が位置することが多く、カバーをケースに取り付けた場合、プッシュラッチ部品の突出部分が電線を押圧したり、電線の被覆を傷つけてしまうことがあり、電気安全という側面からは好ましくない場合がある。しかしながら、本実施形態においては、カバー背面側への突出量を、前記ストライカ部材１２３を構成する前記平板の板厚程度となしえ、突出量がほとんどないため、配線される電線への影響がない。電気安全面も優れた構造をとりつつ、カバーの共用化を行うことができる。
【００４１】
（第２の実施形態）
次に第２の実施形態に係る分電盤について説明を行う。第２の実施形態に係る分電盤においては、前記ストライカ部材１２３の形状、及び前記ストライカ部材支持部１２１６の配置を違えて構成したものである。
【００４２】
本実施形態に係るストライカ部材１２３Ｂの形状について、平板状に形成した基部１２３１から、該平板に対して鉛直方向に突出形成され、先端部にラッチ部となるキノコ形状の突起部を備えたストライカ１２３２を備える点、及びストライカ部材１２３Ｂが前記プッシュラッチ１３３に対して対向して配置される点は第１の実施形態と同様である。
【００４３】
前記ストライカ部材１２３Ｂは、前記ストライカ部材１２３の構成に加えて、前記基部１２３１から前面方向に突出部１２３４を突出させて形成している点と、前記スリット１２１４に差し込まれる差込部を二股に形成している点が異なる。また、前記ねじ貫通孔１２３３は塞いでいる。
【００４４】
該突出部１２３４は基部１２３１の図中左右方向両端部に形成している。該突出部１２３４は、前記段差部１２４におけるスリット１２１４が形成された面に当接する部分の突出量が最も大きくなるよう形成している。また、段差部１２４におけるスリット１２１４が形成された面に当接する部分を、段差部１２４の面と平行に形成している。
【００４５】
また、差込部１２３５は前記スリット１２１４に差込む方向に基部１２３１から二股に延出して形成している。差込部１２３５の幅は前記スリット１２１４と略同程度に設け、先端部分に返し部１２３５ａを形成している。返し部１２３５ａと基部１２３１との間隔は、前記スリット１２１４を形成している段差部の肉厚程度に設けている。
【００４６】
次に、ストライカ部材１２３Ｂをカバー１２０に取り付ける場合について説明を行う。ストライカ部材１２３Ｂをカバー１２０に取り付ける場合には、カバー１２０の下方からストライカ部材１２３Ｂの差込部１２３５をスリットに差し込む。
【００４７】
ストライカ部材１２３Ｂをスリット１２１４に差し込むときには、差込部１２３５は少し撓んでスリットに入り込む。返し部１２３５ａがスリット１２１４を通り抜けたときには、返し部１２３５Ｂがカバー背面側において撓みが解かれて広がることにより、該ストライカ部材１２３Ｂの抜け止めの役割を果たす。
【００４８】
ストライカ部材１２３Ｂをカバー１２０から取り外す場合は、ストライカ部材１２３Ｂをカバー１２０の下方に向けてスリット１２から引き抜いて取り外す。具体的には、ストライカ１２３２部分や突出部１２３４を持って下方に引き抜くか、カバー１２０の背面側から、差込部１２３５を下方に向けて押圧する。差込部１２３５がスリット１２１４の幅方向に撓む程度の力を加えることにより下方に向けて取り外すことができる。
【００４９】
また、ストライカ部材支持部１２１６Ｂの配置については、カバー１２０の下方に設けたスリット１２１４から差し込んだストライカ部材１２３Ｂの差込部１２３５が、カバー背面側に露出しにくいように、前記差込部１２３５をカバーの背面における前面側と、該ストライカ部材支持部１２１６Ｂの前面側とで挟み込み隠蔽するように設けている。
【００５０】
本実施形態では、前記ストライカ部材１２３Ｂの差込部１２３５におけるカバー１２０背面側への突出部分を、背面側から隠蔽し得る程度に、ストライカ部材支持部１２１６Ｂを、前記段差部１２４から突設させて設けている。また、差込部１２３５の背面側とストライカ部材支持部１２１６Ｂの前面側とが略接するよう設けており、ストライカ部材１２３Ｂを差込んだときのガタの規制として作用する。
【００５１】
このようにストライカ部材１２３Ｂと、ストライカ部材支持部１２１６Ｂを形成したため以下のような効果を奏する。
【００５２】
例えば、ドアが閉じられた状態でプッシュラッチ１３３とストライカ１２３２が係合したまま、ドア１３０を開けようとして該ドア１３０を手前側に引っ張った場合には、強い力がストライカ１２３２部分に印加され、ストライカ部材１２３Ｂが前面側に引っ張られ、スリット１２１４を回転中心として回転しようとするが、前記ストライカ部材１２３Ｂの前面方向に突出するように設けられた突出部１２３４が前記段差部１２４におけるスリット１２１４が形成された面に当接するため、前記突出部１２３４が前記段差部１２４に当接して回り止めの役目を果たし、ラッチ状態の保持と、ストライカ部材１２３Ｂの変形等による破損防止を行うことができる。
【００５３】
また、ストライカ部材１２３Ｂが前面側に引っ張られた場合、カバー１２０の背面側において突出するストライカ部材１２３Ｂの差込部１２３５が、ストライカ部材支持部１２１６Ｂにより構成される隠蔽部に当接して先と同様回り止めの役目を果たし、前記突出部１２３４と相まって、より強固にストライカ部材１２３Ｂの変形等による破損防止を行うことができる。
【００５４】
また、前記カバー１２０の背面側において、前記ストライカ部材１２３Ｂが配設される場所近傍には分電盤の使用にあたり配線される電線を収納するガタースペースとなっている。先と同様カバー１２０の背面側の突出物等によって、電線を押圧することにより電線の被覆を傷つけたり、逆に電線によって前記突出物が破損することが想定されるが、前記隠蔽部を設けることにより、カバー１２０の背面側における突出物をなくし、これらの破損等を生じないようにすることができる。
【００５５】
また、第１の実施形態と比べて、ストライカ部材１２３をカバー側に固定するためのねじ部材が不要となることから、使用部材の低減が可能となるとともに、交換時の廃棄物を削減することにつながることから、より環境負荷を低減することができる。
【００５６】
尚、本発明は、上記実施形態に限定されるものではなく、本発明の要旨を逸脱しない範囲で種々の変更が可能である。
【００５７】
例えば、本発明のケース構造を用いた分電盤は、単相３線式の商用電路の他、単相２線式の電路や三相３線式の電路他に用いることができる。また、分電盤の他、標準盤のケースに適用したり、一般的な樹脂製のケースに代えて金属性のケースに適用することができる。
【００５８】
また、例えば、ストライカ部材１２３をカバー１２０に固定取付けするためのねじに代えて、穴部１２１５の底部を穴径に対して拡大させるとともに、球根形状に形成したピンを用いて、該ピンを穴部に嵌め込むことによりストライカ部材１２３を固定するように構成してもよい。この場合には、ねじ締め作業が不要となり、作業効率の向上が期待できる。
【００５９】
また、ストライカ部材１２３の基部１２３１におけるねじ貫通孔に代えて、該ねじ貫通孔部分にストライカ１２３２と同方向に、なおかつ、スリット１２１４に嵌め込むことができる程度に突出させた突部を形成し、スリット１２１４に差し込み後、カバー１２０側の穴部１２１５に前記突部を嵌め込むことによりストライカ部材を固定するよう構成してもよい。前記ねじや前記ピンに代えて、前記突部を形成することにより、これらねじやピンが不要となり、使用部品の低減が期待できる。
【符号の説明】
【００６０】
１００  住宅用分電盤
１０１  電流制限器
１０２  主開閉器
１０３  分岐開閉器
１１０  ケース
１２０  カバー
１２１  ヒンジ取付部
１２１４  スリット
１２１５  穴部
１２１６  ストライカ部材支持部
１２１６Ｂ  ストライカ部材支持部
１２３  ストライカ部材
１２３１  基部
１２３２  ストライカ
１２３３  ねじ貫通孔
１２３４  突出部
１２３５  差込部
１２３  ストライカ部材
１２４  段差部
１３０  ドア
１３３  プッシュラッチ
１３００  ヒンジ構造部
【図１】
0005875060.tif 000002
【図２】
0005875060.tif 000003
【図３】
0005875060.tif 000004
【図４】
0005875060.tif 000005
【図５】
0005875060.tif 000006
【図６】
0005875060.tif 000007
【図７】
0005875060.tif 000008
【図８】
0005875060.tif 000009
【図９】
0005875060.tif 000010
【図１０】
0005875060.tif 000011
【図１１】
0005875060.tif 000012
【図１２】
0005875060.tif 000013
【図１３】
0005875060.tif 000014
【図１４】
0005875060.tif 000015
【図１５】
0005875060.tif 000016
【図１６】
0005875060.tif 000017